(57)【特許請求の範囲】
【請求項１】
電子機器であって、
第１筐体と、
金属製の筐体部材の背面にガラスプレートを設けた第２筐体と、
前記第２筐体の正面側に設けられ、裏面が前記筐体部材で支持されたディスプレイと、
前記第２筐体の一縁部に取り付けられた樹脂製のヒンジ筐体を有し、前記第１筐体と前記第２筐体との間を回動可能に連結するヒンジ装置と、
電波を送受信するアンテナエレメントを有するアンテナ装置と、
を備え、
前記筐体部材は、前記ディスプレイの裏面を支持するプレート部と、該プレート部の周囲に起立形成され、前記ガラスプレートの周囲を連続して囲む立壁部と、を有し、
前記アンテナ装置は、少なくとも前記アンテナエレメントが前記ヒンジ筐体の内部に配置され、
前記プレート部には、前記アンテナエレメントが送受信する電波が通過する切抜き状の開口部が設けられると共に、該開口部の背面側が前記ガラスプレートで覆われていることを特徴とする電子機器。
【請求項２】
請求項１に記載の電子機器であって、
前記開口部は、前記アンテナ装置と近接した位置に設けられていることを特徴とする電子機器。
【請求項３】
請求項１又は２に記載の電子機器であって、
前記第１筐体の後縁部には、凹状部が設けられ、
前記ヒンジ筐体は、前記第２筐体から前記第１筐体に向かって突出して前記凹状部に配置されると共に、該凹状部の奥側に位置する前壁部と、該凹状部の開口側に位置する後壁部と、を有し、
前記アンテナエレメントは、前記ヒンジ筐体の内部で、前記前壁部よりも前記後壁部に近接した位置に配置されていることを特徴とする電子機器。
【請求項４】
請求項３に記載の電子機器であって、
前記アンテナエレメントは、前記プレート部に対して略直交する姿勢で前記ヒンジ筐体の内部に配置されていることを特徴とする電子機器。
【請求項５】
請求項１〜４のいずれか１項に記載の電子機器であって、
前記アンテナ装置は、さらに、グランドエレメントを有し、
前記グランドエレメントは、前記ヒンジ筐体の内部から外部へと延在し、前記開口部の上を通過した状態で前記プレート部と電気的に接続されており、
前記開口部は、前記グランドエレメントよりも幅広に構成され、一部が前記グランドエレメントによって塞がれずに露出していることを特徴とする電子機器。
【請求項６】
請求項１〜５のいずれか１項に記載の電子機器であって、
前記ヒンジ筐体は、前記プレート部に沿って延び、先端側が前記開口部に重なるように配置された突出片を有することを特徴とする電子機器。
【発明の詳細な説明】
【技術分野】
【０００１】
本発明は、アンテナ装置を備える電子機器に関する。
【背景技術】
【０００２】
ノート型ＰＣのような電子機器は、ディスプレイ筐体と本体筐体とがヒンジ装置によって回動可能に連結されている。この種の電子機器は、ディスプレイの回動角度に関わらず、常にアンテナ装置の通信品質を確保できる必要がある。本出願人は、例えば特許文献１において、アンテナ装置をヒンジ筐体内に収容し、通信品質を維持可能な構成を提案している。
【先行技術文献】
【特許文献】
【０００３】
【特許文献１】特許第６４６５９０４号公報
【発明の概要】
【発明が解決しようとする課題】
【０００４】
ところで、上記のような電子機器は、デザイン性や筐体強度の向上のため、ディスプレイ筐体に金属製の筐体部材を用いることがある。金属製の筐体部材は、例えばディスプレイ筐体の周囲を囲む枠状の立壁部を有して構成される。ところが、このような構成とした場合、金属製の筐体部材がヒンジ筐体内に配置されたアンテナ装置と近くに配置されるため、通信品質が低下する懸念がある。この問題を解決するため、例えば枠状の筐体部材の一部を切断してアンテナ装置を配置することが考えられる。ところが、この場合には、筐体部材の切断部が外観に現れるため、デザイン性が低下する。
【０００５】
本発明は、上記従来技術の課題を考慮してなされたものであり、筐体の外観品質とアンテナ装置の通信品質とを両立することができる電子機器を提供することを目的とする。
【課題を解決するための手段】
【０００６】
本発明に係る電子機器は、電子機器であって、第１筐体と、金属製の筐体部材の背面にガラスプレートを設けた第２筐体と、前記第２筐体の正面側に設けられ、裏面が前記筐体部材で支持されたディスプレイと、前記第２筐体の一縁部に取り付けられた樹脂製のヒンジ筐体を有し、前記第１筐体と前記第２筐体との間を回動可能に連結するヒンジ装置と、電波を送受信するアンテナエレメントを有するアンテナ装置と、を備え、前記筐体部材は、前記ディスプレイの裏面を支持するプレート部と、該プレート部の周囲に起立形成され、前記ガラスプレートの周囲を連続して囲む立壁部と、を有し、前記アンテナ装置は、少なくとも前記アンテナエレメントが前記ヒンジ筐体の内部に配置され、前記プレート部には、前記アンテナエレメントが送受信する電波が通過する切抜き状の開口部が設けられると共に、該開口部の背面側が前記ガラスプレートで覆われている。
【０００７】
このような構成によれば、金属製の枠状の立壁部に切れ目等を形成することなく、開口部を介して第２筐体の背面側にアンテナエレメントの電波を通過させることができる。また、この開口部の背面側は、ガラスプレートで覆われている。このため、当該電子機器は、第２筐体の外観品質の向上と、第２筐体の開閉状態に影響を受けないアンテナ装置の良好な通信品質の維持とを両立できる。
【０００８】
前記開口部は、前記アンテナ装置と近接した位置に設けられた構成とするとよい。
【０００９】
前記第１筐体の後縁部には、凹状部が設けられ、前記ヒンジ筐体は、前記第２筐体から前記第１筐体に向かって突出して前記凹状部に配置されると共に、該凹状部の奥側に位置する前壁部と、該凹状部の開口側に位置する後壁部と、を有し、前記アンテナエレメントは、前記ヒンジ筐体の内部で、前記前壁部よりも前記後壁部に近接した位置に配置された構成としてもよい。そうすると、アンテナエレメントが、第１筐体の金属部材から可及的に離間した位置に配置される。その結果、アンテナエレメントでの電波の送受信に、第１筐体側の金属部材が干渉することを抑制できる。
【００１０】
前記アンテナエレメントは、前記プレート部に対して略直交する姿勢で前記ヒンジ筐体の内部に配置された構成としてもよい。そうすると、アンテナエレメントは、プレート部に設けた開口部と、ヒンジ筐体の後側とに対して、それぞれ良好に電波を送受信することができる。
【００１１】
前記アンテナ装置は、さらに、グランドエレメントを有し、前記グランドエレメントは、前記ヒンジ筐体の内部から外部へと延在し、前記開口部の上を通過した状態で前記プレート部と電気的に接続されており、前記開口部は、前記グランドエレメントよりも幅広に構成され、一部が前記グランドエレメントによって塞がれずに露出する構成としてもよい。
【００１２】
前記ヒンジ筐体は、前記プレート部に沿って延び、先端側が前記開口部に重なるように配置された突出片を有する構成としてもよい。
【発明の効果】
【００１３】
本発明によれば、筐体の外観品質とアンテナ装置の通信品質とを両立することができる。
【図面の簡単な説明】
【００１４】
【図１】図１は、一実施形態に係る電子機器の模式的な斜視図である。
【図２】図２は、図１に示す電子機器を背面側から見た斜視図である。
【図３Ａ】図３Ａは、ディスプレイ筐体を本体筐体に対して閉じた状態でのヒンジ装置及びその周辺部の模式的な側面断面図である。
【図３Ｂ】図３Ｂは、ディスプレイ筐体を本体筐体から９０度程度開いた状態でのヒンジ装置及びその周辺部の模式的な側面断面図である。
【図４】図４は、ディスプレイ筐体の模式的な正面図である。
【図５】図５は、ディスプレイ筐体の模式的な背面図である。
【図６】図６は、筐体部材の前縁部の一部を拡大した斜視図である。
【図７】図７は、アンテナ装置の模式的な正面図である。
【発明を実施するための形態】
【００１５】
以下、本発明に係る電子機器について好適な実施の形態を挙げ、添付の図面を参照しながら詳細に説明する。
【００１６】
図１は、一実施形態に係る電子機器１０の模式的な斜視図である。図２は、図１に示す電子機器１０を背面側から見た斜視図である。図１及び図２に示すように、電子機器１０は、本体筐体１２と、ディスプレイ筐体１４と、ヒンジ装置１５と、アンテナ装置１６，１７と、を備える。電子機器１０は、クラムシェル型のノート型ＰＣである。電子機器１０は、本体筐体１２とディスプレイ筐体１４との間がヒンジ装置１５によって相対的に回動可能に連結されている。本発明は、一般的なノート型ＰＣ以外、例えばディスプレイ筐体１４が１８０度を越えて３６０度まで回動可能な構成のノート型ＰＣ等に適用してもよく、また、携帯電話、スマートフォン又は電子手帳等にも適用できる。
【００１７】
以下、電子機器１０について、ディスプレイ筐体１４を本体筐体１２に対して閉じて０度姿勢とした状態（図３Ａ参照）を基準とし、手前側を前、奥側を後、幅方向を左右、厚み方向を上下、と呼んで説明する。なお、ディスプレイ筐体１４については、図１のように開いてディスプレイ２４を視認する状態を基準とし、ディスプレイ２４の表示面側を正面、ディスプレイ２４の裏側を背面と、ヒンジ装置１５側を下、ヒンジ装置１５側と逆側を上、と呼ぶこともある。
【００１８】
先ず、電子機器１０の全体構成を説明する。
【００１９】
図１及び図２に示すように、本体筐体１２は、扁平な箱型の筐体である。本体筐体１２の上面１２ａには、キーボード１８及びタッチパッド１９が設けられている。本体筐体１２の内部には、図示しない基板、演算処理装置、ハードディスク装置、メモリ等の各種電子部品が収容されている。本体筐体１２の後縁部には、左右方向に延在した凹状部２０が設けられている。凹状部２０は、ヒンジ装置１５が配置される。凹状部２０は、本体筐体１２の上面１２ａ、下面１２ｂ及び後端面１２ｃの一部を切除したような切欠き状の凹みである。図２中の参照符号２１，２２は、本体筐体１２の下面１２ｂに設けられたゴム脚等の脚部である。
【００２０】
ディスプレイ筐体１４は、本体筐体１２よりも薄い扁平な箱型の筐体である。ディスプレイ筐体１４の正面１４ａには、ディスプレイ２４が設けられている。ディスプレイ２４は、例えば液晶ディスプレイである。ディスプレイ筐体１４は、筐体部材２６の背面にガラスプレート２８を設けた構成である。ディスプレイ筐体１４は、その後縁部にヒンジ装置１５が取り付けられている。ディスプレイ筐体１４は、ヒンジ装置１５を通過したケーブルで本体筐体１２と電気的に接続されている。
【００２１】
ヒンジ装置１５は、ディスプレイ筐体１４の後縁部（下縁部）と本体筐体１２の後縁部との間を連結している。本実施形態のヒンジ装置１５は、左右方向に延在した１本の長尺な構造である。ヒンジ装置１５は、例えば左右一対設けられてもよい。
【００２２】
ヒンジ装置１５は、ヒンジ筐体３０と、ヒンジ軸３１（図３Ａ参照）と、を備える。ヒンジ筐体３０は、左右方向に延在した樹脂製の筒状部材である。ヒンジ筐体３０は、ディスプレイ筐体１４の後縁部から正面１４ａ側に突出し、凹状部２０内に配置されている。ヒンジ軸３１は、ヒンジ筐体３０の左右端面からそれぞれ突出するように左右一対設けられている。各ヒンジ軸３１は、一端部がディスプレイ筐体１４と固定され、他端部が本体筐体１２に対して回転可能に支持されている。ヒンジ軸３１は、一端部がディスプレイ筐体１４に対して回転可能に支持され、他端部が本体筐体１２に固定されていてもよい。
【００２３】
アンテナ装置１６，１７は、例えば小型のフィルム状アンテナである板状逆Ｆ型アンテナ（ＰＩＦＡ）であり、本実施形態では２．４ＧＨｚ帯、５ＧＨｚ帯に対応している。アンテナ装置１６，１７は、ディスプレイ筐体１４及びヒンジ筐体３０を利用して設置されている。
【００２４】
そこで、次に、アンテナ装置１６，１７の設置構造について、ディスプレイ筐体１４及びヒンジ筐体３０の構成の具体的な構成を例示して説明する。
【００２５】
図３Ａは、ディスプレイ筐体１４を本体筐体１２に対して閉じた状態でのヒンジ装置１５及びその周辺部の模式的な側面断面図である。図３Ｂは、ディスプレイ筐体１４を本体筐体１２から９０度程度開いた状態でのヒンジ装置１５及びその周辺部の模式的な側面断面図である。図４は、ディスプレイ筐体１４の模式的な正面図である。図５は、ディスプレイ筐体１４の模式的な背面図である。図６は、筐体部材２６の前縁部の一部を拡大した斜視図である。
【００２６】
先ず、ディスプレイ筐体１４の構成例を説明する。図３Ａ〜図６に示すように、ディスプレイ筐体１４は、金属製の筐体部材２６と、ガラス製のガラスプレート２８と、を有する。筐体部材２６は、プレート部３４と、立壁部３５とで構成されている。
【００２７】
筐体部材２６は、例えば金属板をプレス成形し、プレート部３４の四周縁部に立壁部３５を形成したものである。プレート部３４は、ディスプレイ筐体１４のベースとなるプレートであり、ディスプレイ２４やヒンジ装置１５の取付部となる。プレート部３４の左右の下角部には、それぞれ複数の取付ボス３４ａが設けられている。取付ボス３４ａは、ヒンジ装置１５の取付部である。プレート部３４には、さらに、取付ボス３４ａよりも大径の複数の円形の孔部３４ｂと、複数の矩形の孔部３４ｃと、左右一対の開口部３６，３７と、が設けられている。各孔部３４ｂは、例えばプレート部３４の強度に影響のない範囲で繰り抜きされた軽量化のための孔部である。孔部３４ｃは、例えばディスプレイ２４に接続されるケーブルのコネクタ等（図示せず）の厚みを吸収するための逃げ孔である。開口部３６，３７は、アンテナ装置１６，１７と近接して設けられた切抜き状の孔部である。開口部３６，３７は、アンテナ装置１６，１７の電波を通過させるアンテナ窓となる。
【００２８】
立壁部３５は、プレート部３４の四周縁部を囲むように起立形成されている。立壁部３５は、プレート部３４の正面１４ａ側及び背面１４ｂ側に突出するように設けられている。つまりプレート部３４の縁部は、略Ｔ字状の断面形状を成している（図３Ａ参照）。立壁部３５は、プレート部３４の四周に切れ目なく連続している。これにより立壁部３５は、正面視（図４参照）及び背面視（図５参照）のいずれにおいても矩形枠状を成している。その結果、筐体部材２６は、正面１４ａ側及び背面１４ｂ側の両面に浅いバスタブ状の凹状空間が形成されている。
【００２９】
ガラスプレート２８は、例えば所定の塗装が成された半透明或いは不透明のガラスプレートである。ガラスプレート２８は、プレート部３４の背面１４ｂに両面テープ等で固定されている。ガラスプレート２８の四周縁部は、プレート部３４の四周に切れ目なく連続している立壁部３５で囲まれて保護されている（図３Ａ参照）。ガラスプレート２８は、ディスプレイ筐体１４の背面１４ｂの意匠性を高める化粧板である。ガラスプレート２８は、プレート部３４の背面１４ｂ側の全面を覆っている。このため、プレート部３４に形成された孔部３４ｂ，３４ｃ及び開口部３６，３７は、ガラスプレート２８で塞がれて外観上には露出しない（図５参照）。
【００３０】
次に、ヒンジ装置１５の構成例を説明する。図３Ａ及び図４に示すように、ヒンジ装置１５は、ヒンジ筐体３０と、左右一対のヒンジ軸３１と、左右一対のヒンジブラケット３８と、を有する。
【００３１】
図３Ａに示すように、ヒンジ筐体３０は、前壁部３０ａと、後壁部３０ｂと、突出片３０ｃと、支持片３０ｄと、を有する略筒状の樹脂部品である。ヒンジ筐体３０は、ディスプレイ筐体１４から本体筐体１２に向かって突出し、大部分が凹状部２０に配置されている。以下では、ヒンジ筐体３０の各要素について、図３Ａに示すようにディスプレイ筐体１４を本体筐体１２に対して閉じて０度姿勢とした状態を基準として説明する。
【００３２】
前壁部３０ａは、凹状部２０の奥側（前側）に配置される壁部である。前壁部３０ａは、上下方向の壁部の下端部を後方に屈曲させた略Ｌ字形を成している。後壁部３０ｂは、凹状部２０の開口側（後側）に配置される壁部である。後壁部３０ｂは、上部が僅かに前側に傾いた略上下方向の壁部である。前壁部３０ａと後壁部３０ｂとの間には、上部が開口し、左右に延在したトンネル状の空間Ｓを形成している。
【００３３】
突出片３０ｃは、後壁部３０ｂと一体形成されている。突出片３０ｃは、後壁部３０ｂの上端部から立壁部３５に沿って斜め上方に屈曲した後、前側に向かって延在している。突出片３０ｃは、ディスプレイ筐体１４（筐体部材２６）に対する取付部である。突出片３０ｃは、例えば図示しないねじを用いて筐体部材２６と固定される。突出片３０ｃの先端は、プレート部３４の正面１４ａ側に配置され、プレート部３４に沿って前側に延びている。突出片３０ｃは、前後方向で開口部３６（３７）の中央よりも多少前側となる位置まで突出しており、開口部３６（３７）に対する桟橋のように開口部３６（３７）と重ねて配置される。突出片３０ｃの先端部には、上方に突出した前後一対の突起３０ｅが設けられている。各突起３０ｅは、開口部３６，３７に挿入されることで、ヒンジ筐体３０の筐体部材２６に対する位置決め部の１つとして機能する。
【００３４】
図４に示すように、左右のヒンジ軸３１は、それぞれ左右のヒンジブラケット３８と一体に固定されている。各ヒンジブラケット３８は、取付ボス３４ａを介してプレート部３４にねじ止め固定される。ヒンジブラケット３８は、一部がヒンジ筐体３０の上部開口を通して空間Ｓに進入しており、この部分にヒンジ軸３１が配置されている。左右のヒンジ軸３１は、それぞれヒンジ筐体３０の左右の端面からヒンジ筐体３０外へと突出している。各ヒンジ軸３１の先端部は、凹状部２０の左右側面を形成する本体筐体１２の内側面２０ａを貫通し、本体筐体１２内の軸受部で回転可能に支持されている。図４中の参照符号３１ａは、ヒンジ軸３１の先端に設けられ、ヒンジ軸３１の回転に所定の回転トルクを付与するトルク発生器である。
【００３５】
図３Ａに示すように、支持片３０ｄは、前壁部３０ａの上端部に固定されて前方に突出している。ディスプレイ２４の表示面（正面１４ａ側の面）には、保護ガラス３９が設置されている。支持片３０ｄは、保護ガラス３９の後縁部を支持し、同時に保護している。
【００３６】
次に、アンテナ装置１６、１７の構成例及び設置構造を説明する。図７は、アンテナ装置１６（１７）の模式的な正面図である。
【００３７】
図４及び図７に示すように、アンテナ装置１６は、アンテナエレメント４０と、グランドエレメント４１と、を有する。アンテナ装置１７は、グランドエレメント４１の幅が多少大きい以外はアンテナ装置１６と同じ構造である。そこで、アンテナ装置１７については、アンテナ装置１６と同一の参照符号を付して詳細な説明は省略する。
【００３８】
アンテナエレメント４０は、電波の送受信を行うための導電パターンを有する。グランドエレメント４１は、アンテナ装置１６のグランドである。グランドエレメント４１は、例えば銅テープで構成されている。アンテナ装置１６は、図示しないケーブルを介して本体筐体１２内のマザーボードや通信回路等と電気的に接続される。
【００３９】
図３Ａ及び図４に示すように、アンテナ装置１６（１７）は、ヒンジ筐体３０内からディスプレイ筐体１４内に亘って配置されている。アンテナエレメント４０は、ヒンジ筐体３０の空間Ｓに収容され、前壁部３０ａよりも後壁部３０ｂに近接した位置に配置されている。本実施形態では、後壁部３０ｂの内面に突出形成した略Ｌ字状の板片３０ｆでアンテナエレメント４０を支持している。アンテナエレメント４０は、プレート部３４に対して略直交する姿勢とされ、前壁部３０ａ及び後壁部３０ｂと対向している。
【００４０】
グランドエレメント４１は、アンテナエレメント４０の上端部から突出片３０ｃの正面１４ａ側の面に沿って延出され、開口部３６を跨いだ後、プレート部３４の正面１４ａ側の面に貼り付けられている。つまりグランドエレメント４１は、ディスプレイ２４の背面とプレート部３４の正面との間に挟まれた状態で、金属製のプレート部３４に接続されてフレームグランドされている。
【００４１】
図４に示すように、開口部３６，３７は、それぞれアンテナ装置１６，１７と左右方向位置が重なる位置に設けられている。開口部３６，３７は、それぞれアンテナ装置１６，１７のグランドエレメント４１よりも左右方向幅が幅広に構成されている。これにより、開口部３６，３７は、グランドエレメント４１によって完全に閉塞されず、グランドエレメント４１の両側部に一部が露出している。
【００４２】
従って、アンテナ装置１６（１７）において、アンテナエレメント４０は、ディスプレイ筐体１４の回動角度に関わらず、常にその後面が樹脂製の後壁部３０ｂを介して外部を指向している（図３Ａ及び図３Ｂ中の矢印Ｅ１参照）。さらにアンテナエレメント４０は、ディスプレイ筐体１４の回動角度に関わらず、常にその前面が樹脂製の突出片３０ｃ、前壁部３０ａ及び支持片３０ｄと、開口部３６（３７）とを介して外部を指向している（図３Ａ及び図３Ｂ中の矢印Ｅ２参照）。
【００４３】
上記の通り、開口部３６，３７は、導体であるグランドエレメント４１によって一部が塞がれているが残部が露出しているため、この露出部分を介してアンテナエレメント４０が電波の送受信を行うことができる。つまり当該電子機器１０では、アンテナ装置１６（１７）に近接した位置に開口部３６（３７）を形成する必要があり、また、グランドエレメント４１はフレームグランドのために金属製のプレート部３４に接続する必要がある。その結果、グランドエレメント４１が開口部３６（３７）を閉塞する懸念がある。この点、本実施形態では、開口部３６（３７）をグランドエレメント４１よりも幅広に構成することで、開口部３６（３７）が導体で閉塞されることを回避して良好な通信品質を確保できている。
【００４４】
本実施形態の場合、本体筐体１２の後縁部には、凹状部２０の前側面を形成する樹脂製の壁部材４４の上下に、金属製の上壁部材４５及び下壁部材４６が設けられている。上壁部材４５は、本体筐体１２の上面１２ａを形成している。下壁部材４６は、本体筐体１２の下面１２ｂを形成している。これら金属製の壁部材４５，４６は、アンテナ装置１６，１７による電波の送受信を妨害する懸念があるため、アンテナエレメント４０から一定距離以上離間している必要がある。
【００４５】
この点、本実施形態では、アンテナエレメント４０がヒンジ筐体３０内でこれら壁部材４５，４６から離間した位置、つまり前壁部３０ａよりも後壁部３０ｂに近い位置に配置されている。これにより、アンテナエレメント４０は、図３Ａに示す状態では壁部材４５，４６との間に距離Ｗｃが確保され、図３Ｂに示す状態では壁部材４５，４６との間に距離Ｗｏが確保される。つまり、アンテナエレメント４０は、ディスプレイ筐体１４の回動角度に関わらず、常に壁部材４５，４６との間に一定以上の距離Ｗｃ又は距離Ｗｏが確保され、アンテナ装置１６，１７の電波に干渉することが抑制されている。なお、アンテナエレメント４０は、本体筐体１２の金属部材との距離を所定以上確保可能であれば、ヒンジ筐体３０内で後壁部３０ｂよりも前壁部３０ａに近い位置に配置されてもよい。但し、アンテナエレメント４０が前壁部３８ａよりも後壁部３０ｂに近い位置に配置した方が、距離Ｗｃ，Ｗｏを一層容易に確保でき、またヒンジ筐体３０等の構造を小型化できるという利点がある。なお、アンテナエレメント４０は、ディスプレイ筐体１４に対しては、ヒンジ筐体３０を介して一体的に固定されている。このため、アンテナエレメント４０は、ディスプレイ筐体１４側の金属部材、例えば筐体部材２６に対する距離は常に一定に確保されている。
【００４６】
以上のように、本実施形態の電子機器１０において、ディスプレイ筐体１４は、金属製の筐体部材２６の背面にガラスプレート２８を設けた構成となっている。また、アンテナ装置１６，１７は、少なくともアンテナエレメント４０が樹脂製のヒンジ筐体３０内に配置されている。筐体部材２６は、ディスプレイ２４の裏面を支持するプレート部３４と、プレート部３４の周囲に起立形成され、ガラスプレート２８の周囲を連続して囲む立壁部３５と、をする。そして、プレート部３４には、アンテナ装置１６，１７と近接した位置に、アンテナエレメント４０が送受信する電波が通過する切抜き状の開口部３６，３７が設けられると共に、開口部３６，３７の背面１４ｂ側がガラスプレート２８で覆われている。
【００４７】
従って、当該電子機器１０は、金属製の枠状の立壁部３５に切れ目等を形成することなく、開口部３６，３７を介してディスプレイ筐体１４の背面１４ｂ側にアンテナエレメント４０の電波を通過させることができる。また、この開口部３６，３７の背面１４ｂ側は、ガラスプレート２８で覆われている。このため、電子機器１０は、ディスプレイ筐体１４の外観品質の向上と、ディスプレイ筐体１４の開閉状態に影響を受けないアンテナ装置１６，１７の良好な通信品質の維持とを両立できる。
【００４８】
なお、本発明は、上記した実施形態に限定されるものではなく、本発明の主旨を逸脱しない範囲で自由に変更できることは勿論である。
【００４９】
上記実施形態では、平板形状のアンテナエレメント４０を例示したが、アンテナエレメント４０は屈曲形状や湾曲形状であってもよい。またアンテナエレメント４０のヒンジ筐体３０内での配置や姿勢は変更してもよい。
【符号の説明】
【００５０】
１０  電子機器
１２  本体筐体
１４  ディスプレイ筐体
１５  ヒンジ装置
１６，１７  アンテナ装置
１８  キーボード
２０  凹状部
２４  ディスプレイ
２６  筐体部材
２８  ガラスプレート
３０  ヒンジ筐体
３４  プレート部
３５  立壁部
３６，３７  開口部
４０  アンテナエレメント
４１  グランドエレメント
【図１】
0006971293.tif 000002
【図２】
0006971293.tif 000003
【図３Ａ】
0006971293.tif 000004
【図３Ｂ】
0006971293.tif 000005
【図４】
0006971293.tif 000006
【図５】
0006971293.tif 000007
【図６】
0006971293.tif 000008
【図７】
0006971293.tif 000009